(57)【要約】【課題】  三本胴付きの手袋の各指股を股重ねで形成し、しかも特定の指袋の入口の周長が短くならないようにすることが可能な、股重ねを有する手袋およびその編成方法を提供する。【解決手段】  手袋３０は、一対の抑糸溝が対向して設けられる抑糸杆を備える手袋編機で編成する。人差し指用の指袋４から編成を開始し、指股９ｃでは、人差し指用の指袋４側の編目に連なる編糸を抑糸杆の一方の抑糸溝で抑えながら股重ねを行う。この股重ねでは、人差し指用の指袋４の編目が減少する。同様に、一方の抑糸溝で抑えながら、指股９ｂ，９ａでの股重ねを行う。四本胴７の編成後に親指用の指袋５を編成する際には、抑糸杆の他方の抑糸溝を使用して、四本胴７の端部の編目を抑える。四本胴７の編目が減少しても、人差し指用の指袋４の入口からはウエール方向に隔てられており、指袋４の入口の周長には影響しないようにすることができる。【選択図】  図１
2008274447.tif 000002
【特許請求の範囲】
【請求項１】
一対の抑糸溝が対向して設けられる抑糸杆を備える手袋編機で、五本の指袋と、指袋間に抑糸杆を使用して形成される股重ねと、人差し指用、中指用および薬指用の指袋から形成される三本胴と、三本胴および小指用の指袋から形成される四本胴とを含むように編成可能な股重ねを有する手袋において、
人差し指用と中指用との指袋間の股重ねは、人差し指用の指袋の編目が減少しており、
中指用と薬指用との指袋間の股重ねは、中指用の指袋の編目が減少しており、
三本胴と小指用の指袋間にも、三本胴側の編目が減少するように股重ねが形成されている、
ことを特徴とする股重ねを有する手袋。
【請求項２】
一対の抑糸溝が対向して設けられる抑糸杆を備える手袋編機で、人差し指用、中指用および薬指用の指袋から三本胴を形成し、三本胴および小指用の指袋から四本胴を形成しながら、股重ねを有する手袋を編成する方法において、
人差し指用の指袋から編成を開始して、中指用の指袋および薬指用の指袋を、順次編成して三本胴を編成する際に、
人差し指用と中指用との指袋間では、人差し指用の指袋側を抑糸杆で抑えながら、人差し指用の指袋の編目が減少するように股重ねを行い、
中指用と薬指用との指袋間では、中指用の指袋側を抑糸杆で抑えながら、中指用の指袋の編目が減少するように股重ねを行い、
三本胴と小指用の指袋との間では、三本胴側を抑糸杆間で抑えながら、三本胴の編目が減少するように股重ねを行う、
ことを特徴とする股重ねを有する手袋の編成方法。
【発明の詳細な説明】
【技術分野】
【０００１】
本発明は、抑糸杆を備える手袋編機で、人差し指、中指および薬指の相互間の指股に対して小指と薬指との間の指股が一段下がって形成される三本胴付きの手袋として編成可能な、股重ねを有する手袋およびその編成方法に関する。
【背景技術】
【０００２】
従来から、前後に対向する針床を備える横編機のうち、手袋などの編成を効率良く行うために、手袋編機が用いられている。手袋編機は、前後の針床で筒状に編成される編地として指袋や胴を形成するとともに、カミソリと呼ばれる抑糸杆を備えていれば、指袋や胴となる筒状編地の付け根間で孔が開かないように編目を重ねて、股重ねと呼ばれる編成を行うことができる（たとえば、特許文献１参照。）。
【０００３】
図３は、抑糸杆を使用して編成する手袋について示す。（ａ）では指袋の付け根間の指股に股重ねを形成した手袋の概略的な構成を示し、（ｂ）では抑糸杆の概略的な構成を示し、（ｃ）では（ａ）の切断面線Ｃ−Ｃから見た指股部分の概略的な断面構成を示す。
【０００４】
図３（ａ）に示すように、小指、薬指、中指、人差し指および親指の五本の指用の指袋１，２，３，４，５のうち、薬指から人差し指までの三本の指袋２〜４をそれぞれ編成して三本胴６を形成した後、小指の指袋１を編成して、四本胴７を形成する。さらに親指用の指袋５が形成され、親指用の指袋５と四本胴７とから、掌と手の甲とを覆う五本胴８が形成される。小指の指袋１と三本胴６との間には、指股９ａが形成される。薬指の指袋２と中指の指袋３との間、および中指の指袋３と人差し指の指袋４との間には、指股９ｂおよび指股９ｃがそれぞれ形成される。四本胴７と親指の指袋５との間には、指股９ｄが形成される。五本胴８の次には、口ゴム部などが付加され、手袋１０が編成される。
【０００５】
図３（ｂ）に示すように、抑糸杆２０は、全体的には平坦な上面２１の一部に、間隔を開けて配置される一対の抑糸溝２２，２２が開口するように形成されており、前後の針床が対向する歯口の下方で、編針に係止されている編地を構成する編糸に作用させる。抑糸溝２２，２３は、傾斜した開口部２２ａ、２３ａ、および上面２１と平行な平行部２２ｂ，２３ｂを有する。抑糸杆２０を作用させるときは、指袋や胴などの筒状編地の端部で編目を係止している編針に、平行部２２ｂ，２３ｂが編幅の外方となる向きで抑糸溝２２，２３が通過するように抑糸杆２０を移動させる。編針に係止されている編目に連なる編糸は、抑糸溝２２，２３の開口部２２ａ，２３ａから平行部２２ｂ，２３ｂに案内される。この編糸の案内によって、編針に係止されている編目は針幹に沿って下降し、編針が編成動作で歯口に進出しても、移動が抑えられる。抑糸杆２０を用いることによって、隣接する筒状編地の一方の端部を係止する編針を使用して、他方の筒状編地の端部を編成することができる。
【０００６】
なお、特許文献１に開示されている抑糸杆は、抑糸溝を一つだけ備え、左右の一方側からのみ編地に作用させることができる。したがって、小指の指袋から人差し指の指袋までを順次編成してから四本胴を形成することはできるけれども、先に三本胴を形成して、その両側で小指の指袋と親指の指袋とを編成する際に、両方とも適切に作用させることはできない。
【０００７】
図３（ｃ）は、指股９ａ〜９ｄでの筒状編地間の接合状態を示す。図３（ａ）に示すような五本の指袋１，２，３，４，５を有する手袋１０の編成の場合、抑糸杆２０は、抑糸溝２２，２３の平行部２２ｂ，２３ｂ側が新たな指袋を編成する側となるように使用する。指股９ａは、指股９ｂ，９ｃよりも一段、掌を覆う五本胴８に近い位置まで食込むように形成される。この結果、指股９ａは、薬指、中指および人差し指用の指袋２，３，４から形成される三本胴６と小指用の指袋１との間に形成される。三本胴６を形成する薬指、中指および人差し指用の指股９ｂ，９ｃを、指股９ａよりも五本胴８より離れる位置に形成するためには、小指用の指袋１よりも三本胴６を形成する指袋２，３，４を先に編成し、抑糸杆２０では、三本胴６の付け根の編目を、小指用の指袋１を編成する側から抑えることも可能にする必要がある。この結果、小指用の指袋１と薬指用の指袋２との間の指股９ａでは、三本胴６側の指袋２の付け根の内側に指袋１の付け根が侵入する。指股９ｂでは、薬指用の指袋２の付け根の内側に、中指用の指袋３の付け根が侵入する。指股９ｃでは、中指用の指袋３の付け根の内側に、人差し指用の指袋４の付け根が侵入する。指股９ｄでは、四本胴７の付け根の内側に、親指用の指袋５の付け根が侵入する。
【０００８】
なお、特許文献２では、抑糸杆２０を使用しての手袋１０に相当する編成は、第１図で従来の技術として説明されている。特許文献２に係る発明としては、一つの抑糸溝を有する抑糸杆を使用して指股９ｂ，９ｃ，９ｄを股重ねの形式で編成し、指股９ａは、増し目を行う方法が開示されている。
【特許文献１】特公昭４１−９８２３号公報
【特許文献２】特公昭６１−３２４２０号公報
【発明の開示】
【発明が解決しようとする課題】
【０００９】
図３に示すような三本胴付の手袋１０は、指股９ａ，９ｂ，９ｃが同じ高さで横一線に並ぶ三本胴無しの手袋よりも手にフィットする。しかしながら、図３（ｃ）に示すように、薬指用の指袋２は、編幅の両側で中指用の指袋３と小指用の指袋１との編成時に抑糸杆２０の抑糸溝２２，２３を作用させるため、指袋２の入口の編目がそれぞれ減少し、入口の周長が短くなってしまう。入口の周長を確保するために、薬指用の指袋２の周長が長くなるように径を大きく編成すると、挿入する薬指に比較して指袋２が太くなり過ぎて、だぶついてしまう。指袋２の周長が適正になるように編成するには、目数を変化させる成型編みが必要となり、手袋編機の構成が複雑になったり、編成の効率が低下したりするおそれがある。
【００１０】
特許文献２で発明として開示されている方法では、股重ねを行わなくても指股９ａに孔が開かないようにすることができる。しかしながら、手袋の表面にゴム材などをコーティングする場合には、増し目で形成する指股９ａの部分から、手袋内部にもゴム材などが浸透するおそれがある。
【００１１】
本発明の目的は、三本胴付きの手袋の各指股を股重ねで形成し、しかも特定の指袋の入口の周長が短くならないようにすることが可能な、股重ねを有する手袋およびその編成方法を提供することである。
【課題を解決するための手段】
【００１２】
本発明は、一対の抑糸溝が対向して設けられる抑糸杆を備える手袋編機で、五本の指袋と、指袋間に抑糸杆を使用して形成される股重ねと、人差し指用、中指用および薬指用の指袋から形成される三本胴と、三本胴および小指用の指袋から形成される四本胴とを含むように編成可能な股重ねを有する手袋において、
人差し指用と中指用との指袋間の股重ねは、人差し指用の指袋の編目が減少しており、
中指用と薬指用との指袋間の股重ねは、中指用の指袋の編目が減少しており、
三本胴と小指用の指袋間にも、三本胴側の編目が減少するように股重ねが形成されている、
ことを特徴とする股重ねを有する手袋である。
【００１３】
さらに本発明は、一対の抑糸溝が対向して設けられる抑糸杆を備える手袋編機で、人差し指用、中指用および薬指用の指袋から三本胴を形成し、三本胴および小指用の指袋から四本胴を形成しながら、股重ねを有する手袋を編成する方法において、
人差し指用の指袋から編成を開始して、中指用の指袋および薬指用の指袋を、順次編成して三本胴を編成する際に、
人差し指用と中指用との指袋間では、人差し指用の指袋側を抑糸杆で抑えながら、人差し指用の指袋の編目が減少するように股重ねを行い、
中指用と薬指用との指袋間では、中指用の指袋側を抑糸杆で抑えながら、中指用の指袋の編目が減少するように股重ねを行い、
三本胴と小指用の指袋との間では、三本胴側を抑糸杆で抑えながら、三本胴の編目が減少するように股重ねを行う、
ことを特徴とする股重ねを有する手袋の編成方法である。
【発明の効果】
【００１４】
本発明によれば、薬指と小指との間の指股では、小指用の指袋の形成で薬指用の指袋の編目が減少しているけれども、薬指と中指との間の指股では、薬指用の指袋ではなく、中指用の指袋の編目が減少するので、薬指用の指袋の入口が小さくならないようにすることができる。中指と人差し指との間の指股では、中指用ではなく人差し指用の指袋の編目が減少するので、中指用の指袋の入口が小さくならないようにすることができる。人差し指と親指との間の指股は、人差し指側は四本胴となっており、人差し指用の指袋の入口から離れているので、四本胴の編目が減少しても、人差し指用の指袋の入口には影響しないようにすることができる。したがって、手袋の各指股を股重ねで形成しても、特定の指用の指袋の入口が編幅の両側から編目が減少して入口の周長が短くならないような三本胴付の手袋を得ることができる。
【００１５】
さらに本発明によれば、人差し指、中指および薬指用の指袋を順次編成し、三本胴を形成し、さらに小指用の指袋を編成する間の指股での股重ねを、抑糸杆の一方の抑糸溝を作用させて行うことができる。三本胴と小指用の指袋とから形成される四本胴から親指用の指袋を編成する際の指股は、抑糸杆の他方の抑糸溝を作用させながら編成することができる。人差し指用の指袋を除いて、他の指袋は、編幅の両側で抑糸杆の抑糸溝の作用を受けて編目が減少することはなく、入口の周長が短くならないようにすることができる。人差指用の指袋では、中指用の指袋の編成時と親指用の指袋の編成時との両方に、抑糸杆で対向する抑糸溝の作用をそれぞれ受けて編目が減少するけれども、親指側の指股は四本胴の付け根に形成されて、人差し指用の指袋の入口からはウエール方向に隔てられており、四本胴の編目が減少しても、人差し指用の指袋の入口には影響しない。したがって、三本胴付の手袋を、各指股を股重ねで形成しても、特定の指用の指袋の入口が編幅の両側から編目が減少して入口の周長が短くならないように編成することができる。
【発明を実施するための最良の形態】
【００１６】
図１は、本発明の実施の一形態としての三本胴付きの手袋３０の概略的な構成を（ａ）に示す。（ｂ）では（ａ）の切断面線Ｂ−Ｂから見た指股の断面構成を示す。図１で、図３または図４に対応する部分には同一の参照符を付して示し、重複する説明は省略する。
【００１７】
図１（ａ）に示すように、手袋３０は、図３に示す手袋１０と同様に、五本の指袋１，２，３，４，５と、三本胴６と、四本胴７と、五本胴８とを含む。指袋１，２，３，４，５間の指股９ａ，９ｂ，９ｃ，９ｄには、図３（ｂ）に示すような抑糸杆２０を使用して股重ねが形成される。三本胴６は、人差し指用、中指用および薬指用の指袋４，３，２から形成される。四本胴７は、三本胴６と小指用の指袋１とから形成される。なお、手袋３０は、背面側も表面側と同一に形成されるので、右手用と左手用とを兼用することができる。
【００１８】
手袋３０を、一対の抑糸溝２２，２３が対向して設けられる抑糸杆２０を備える手袋編機で編成する場合、人差し指用、中指用および薬指用の指袋４，３，２を順次編成してから三本胴６を形成した後で、小指用の指袋１を編成する。さらに三本胴６および小指用の指袋１から四本胴７を形成し、親指用の指袋５を編成してから五本胴８を形成する。すなわち、手袋３０は、人差し指用の指袋４から編成を開始する。
【００１９】
三本胴６を編成する際に、人差し指用と中指用との指袋４，３間の指股９ｃでは、人差し指用の指袋４側の編目に連なる編糸を抑糸杆２０の抑糸溝２２の平行部２２ｂに案内して抑えながら股重ねを行う。この股重ねでは、人差し指用の指袋４の編目が減少する。同様に、抑糸杆２０の抑糸溝２２で抑えながら、指股９ｂ，９ａでの股重ねを行う。指股９ａでは、三本胴１５側の編目が減少する。
【００２０】
以下、四本胴７の編成を行い、親指用の指袋５を編成する際には、抑糸杆２０の抑糸溝２３側を使用して、四本胴７の端部の編目を抑える。この結果、四本胴７の付け根で編目が減少しても、四本胴７の付け根は人差し指用の指袋４の入口からウエール方向に隔てられており、人差し指用の指袋の入口での周長には影響しないようにすることができる。この結果、図１（ｂ）に示すように、手袋３０では、いずれの指用の指袋１，２，３，４，５の入口でも、編幅の両側から編目が減少して入口の周長が短くならないようにすることができる。
【００２１】
図２は、図１（ａ）に示す手袋３０と図３（ａ）に示す手袋１０とを、指股９ａ，９ｂ，９ｃの部分を拡大し、比較して示す。手袋３０では、指股９ｃ，９ｂ，９ａで股重ねの方向が揃っており、見栄えも良くすることができる。
【００２２】
なお、手袋３０は、対向する抑糸溝２２，２３を備える抑糸杆２０を使用しなくても、前後の針床間で編目の目移しが可能で、針床を横にずらすラッキングが可能な横編機であれば、編成可能である。しかしながら、抑糸杆２０を使用すれば、目移しやラッキングの機能を備えなくても、先に編成する筒状編地の端部を係止する編針を使用して次の筒状編地の端部を編成することができる。指股では、目移しなどを行わずに、隣接する筒状編地を続けて編成するので、効率良く手袋３０を編成することができる。
【００２３】
抑糸杆２０は、特許文献１に開示されているようなカムの形状変更や、ベルト等での独立駆動方式への変更などで、容易に駆動することができる。
【図面の簡単な説明】
【００２４】
【図１】本発明の実施の一形態としての三本胴付きの手袋３０の概略的な構成を示す正面図、およびその切断面線Ｂ−Ｂから見た指股の断面図である。
【図２】図１に示す手袋３０と図３に示す手袋１０との外観を比較して示す図である。
【図３】従来からの三本胴付きの手袋１０の概略的な構成を示す正面図、手袋１０の編成に使用する抑糸杆２０の概略的な構成を示す正面図、および手袋１０の指股９ａ〜９ｄの概略的な構成を示す断面図である。
【符号の説明】
【００２５】
１，２，３，４，５  指袋
６  三本胴
７  四本胴
８  五本胴
９ａ，９ｂ，９ｃ，９ｄ  指股
２２，２３  抑糸溝
２０  抑糸杆
３０  手袋
【図１】
2008274447.tif 000003
【図２】
2008274447.tif 000004
【図３】
2008274447.tif 000005